(57)【要約】【課題】簡単な構造で安定して設置できる水栓を提供すること。【解決手段】蓋体部７にボルト１５Ａ、１５Ｂを介してロック片１６Ａ、１６Ｂを取り付けた状態にして、且つボルト１５Ｂ及びロック片１６Ｂを内方に移動させた状態にして、更に蓋体部７の側部の切欠部１８を介して蛇口２の放水口２Ａに接続したフレキブル管４の他端側を散水栓ボックス３から外方に出して連結部１０に接続すると共に蛇口２を開いた状態にした後、水栓柱５の蓋体部７を散水栓ボックス３に載置させ、次いで各長孔１４に沿ってボルト１５Ｂを外方に移動させる。そして、ボルト１５Ａ、１５Ｂを締めると、支承片１２に各ロック片１６Ａ、１６Ｂが係止することにより、水栓柱５は散水栓ボックス３に固定する。【選択図】  図６
2004169280.tif 000002
【特許請求の範囲】
【請求項１】
水道水を放水するための水栓において、散水栓ボックス内の蛇口の蛇口に一端が接続される連結管路体と、前記散水栓ボックスに固定部材を介して固定される蓋体部と前記連結管路体の他端部と連結する連結部及び上部に蛇口とを備えた水栓柱とから成ることを特徴とする水栓。
【請求項２】
前記固定部材を前記蓋体部に開設した複数の取付孔を介して挿入された各ボルトと、ネジ孔が設けられたロック片とから構成し、前記各ボルトを締めて前記ロック片を前記散水栓ボックスの内壁に形成された支承片に係止させることにより、この散水栓ボックスに前記水栓柱を固定することを特徴とする請求項１に記載の水栓。
【請求項３】
前記固定部材を前記蓋体部に開設した複数の取付孔を介して挿入された各ボルトと、ネジ孔が設けられたロック片とから構成し、前記各ボルトを締めて前記ロック片を前記散水栓ボックスの内壁に係止させることにより、この散水栓ボックスに前記水栓柱を固定することを特徴とする請求項１に記載の水栓。
【発明の詳細な説明】
【０００１】
【発明の属する技術分野】
本発明は、水道水を放水するための水栓に関し、詳述すれば散水栓ボックス内の蛇口と接続する水栓に関するものである。
【０００２】
【従来の技術】
従来は、水道水を放水する場合には、散水栓の蓋を外して散水栓ボックス内の蛇口にホースを連結して、前記蛇口を操作して行っていた。しかし、いちいち散水栓の蓋を外して散水栓ボックス内の蛇口にホースを連結しなければならず、また放水量の調節は散水栓ボックス内の蛇口で行わねばならず甚だ面倒であった。このため、実用新案登録第３０６２５０５号公報等に開示するように、水道栓と取水口とをホースで接続して、水栓柱内の導水管に導水して蛇口を介して放水する技術が提案されている。
【０００３】
【特許文献】
実用新案登録第３００９６７２号公報
【０００４】
【発明が解決しようとする課題】
しかし、従来の水栓柱は安定した設置を行うために、下部に大掛かりな台座を備えねばならないという問題があった。
【０００５】
そこで本発明は、上記の点に鑑み、簡単な構造で安定して設置できる水栓を提供することを目的とする。
【０００６】
【課題を解決するための手段】
このため第１の発明は、水道水を放水するための水栓において、散水栓ボックス内の蛇口に一端が接続される連結管路体と、前記散水栓ボックスに固定部材を介して固定される蓋体部と前記連結管路体の他端部と連結する連結部及び上部に蛇口とを備えた水栓柱とから成ることを特徴とする。
【０００７】
また第２の発明は、第１の発明において、前記固定部材を前記蓋体部に開設した複数の取付孔を介して挿入された各ボルトと、ネジ孔が設けられたロック片とから構成し、前記各ボルトを締めて前記ロック片を前記散水栓ボックスの内壁に形成された支承片に係止させることにより、この散水栓ボックスに前記水栓柱を固定することを特徴とする。
【０００８】
更に第３の発明は、第１の発明において、前記固定部材を前記蓋体部に開設した複数の取付孔を介して挿入された各ボルトと、ネジ孔が設けられたロック片とから構成し、前記各ボルトを締めて前記ロック片を前記散水栓ボックスの内壁に係止させることにより、この散水栓ボックスに前記水栓柱を固定することを特徴とする。
【０００９】
【発明の実施の形態】
以下、本発明の第１の実施の形態を図に基づき説明する。図１に示すように、地中に埋設された配管１から立ち上げた蛇口２を囲むように底面及び上面が開口せる角筒状の散水栓ボックス３が地中に埋設されており、図示しないが前記散水栓ボックス３の上面開口部には蓋体が設けられている。
【００１０】
そして、先ず図２に示すように、前記蓋体を散水栓ボックス３から外し、折り曲げ可能な可撓性を有する所定長の連結管路体であるステンレス製のフレキブル管４の一端を前記蛇口２の放水口２Ａに螺合させて接続する。
【００１１】
次に、図３に示すような水栓柱５を固定部材６を介して前記散水栓ボックス３に固定する。前記水栓柱５は、既設の前記散水栓ボックス３に固定部材６を介して固定される概ね平面視四角形状の蓋体部７を下端部に備え、また水栓スタンド８内には導水管９が配設され、この導水管９の下端部には前記フレキブル管４の他端部と連結する連結部１０が水栓スタンド８外に導出されると共に導水管９の上端部には蛇口１１が水栓スタンド８外に導出されている。
【００１２】
次に、図４及び図５に基づき、前記水栓柱５を前記散水栓ボックス３に固定する構造について説明する。前記散水栓ボックス３の内面周囲には前記蓋体を載置するために全周に亘って又は一部に支承片１２が形成されている。そこで、以下に詳述するように、この支承片１２を利用して前記水栓柱５を固定するものである。
【００１３】
先ず、概ね平面視四角形状の蓋体部７には横長の状態としたときの手前側の２ケ所には丸孔１３が開設され、奥行き側には長孔１４（横長方向と直交する方向に長い）が開設されており、夫々の丸孔１３及び長孔１４を介して夫々ボルト１５Ａ、１５Ｂを挿通する。そして、丸孔１３を挿通した各ボルト１５Ａを垂直片を外方に折曲して断面がＬ字形状のロック片１６Ａに開設した孔を介して蓋体部７に熔接固定したナット１７Ａに螺合させ、また長孔１４を挿通した各ボルト１５Ｂを垂直片を外方に折曲して断面がＬ字形状のロック片１６Ｂに開設した孔を介して蓋体部７に熔接固定したナット１７Ｂに螺合させる。即ち、これらボルト１５Ａ、１５Ｂやロック片１６Ａ、１６Ｂなどにより前記固定部材６が構成されるものである。
【００１４】
そして、このように前記蓋体部７にボルト１５Ａ、１５Ｂを介してステンレス製のロック片１６Ａ、１６Ｂを取り付けた状態にして、且つボルト１５Ｂ及びロック片１６Ｂを内方に移動させた状態にして、更に前記蓋体部７の側部の半円形状の切欠部１８を介して前記蛇口２の放水口２Ａに接続したフレキブル管４の他端側を散水栓ボックス３から外方に出して連結部１０に接続すると共に蛇口２を開いた状態（蛇口１１は閉じている）にした後、前記水栓柱５の蓋体部７を前記散水栓ボックス３に載置させ、次いで各長孔１４に沿ってボルト１５Ｂを外方に移動させる。そして、この状態でボルト１５Ａ、１５Ｂを締めると、支承片１２に各ロック片１６Ａ、１６Ｂが下方から係止することにより（図５、６参照）、前記水栓柱５は既設の前記散水栓ボックス３に固定部材６を介して安定した状態で確実に固定されることとなる。
【００１５】
以上のように前記散水栓ボックス３に固定部材６を介して前記水栓柱５を固定したら、放水量に合わせて蛇口１１を開くことにより水道水を取出すことができ、必要に応じてこの蛇口１１にホース（図示せず）を接続することにより、広範囲に放水することができる。
【００１６】
次に、図７に基づき、固定部材６の第２の実施形態について説明するが、この第２の実施形態が第１の実施と異なるのはロック片１６Ｃ、１６Ｄだけであり、同じ図番については同一又は同等の機能を有するものであるから、説明は省略する。ステンレス製のロック片１６Ｃ、１６Ｄは、下面にナット１７Ｃ、１７Ｄが熔接固定された水平片を外方に下斜め方向に折り曲げて形成するものである。
【００１７】
従って、ボルト１５Ａ、１５Ｂを締めると、それまで垂れ下がっていて前記散水栓ボックス３の内壁と接触していない状態にあった各ロック片１６Ｃ、１６Ｄの下端部が外方に移動（揺動）して前記散水栓ボックス３の内壁に係止して、この内壁を外方へ押圧することとなるので、水栓柱５は前記散水栓ボックス３に各ロック片１６Ｃ、１６Ｄを介して固定（押圧保持）されることとなる。
【００１８】
次に、図８に基づき、固定部材６の第３の実施形態について説明するが、この第３の実施形態が第１の実施と異なるのはロック片１６Ｅ、１６Ｆだけであり、同じ図番については同一又は同等の機能を有するものであるから、説明は省略する。ロック片１６Ｅ、１６Ｆは、下面にナット１７Ｅ、１７Ｆが熔接固定された水平片を概ね外方に下斜め方向に折り曲げて形成されて外方への付勢力を有する板バネで構成され、中間部には前記散水栓ボックス３の内壁に接して押圧するための押圧部２０Ａ、２０Ｂが断面への字形状に折り曲げられて形成されている。
【００１９】
従って、ボルト１５Ａ、１５Ｂを締めると、それまで垂れ下がって前記散水栓ボックス３の内壁と接触していない状態にあった各ロック片１６Ｅ、１６Ｆの下端部が外方に移動（揺動）して、押圧部２０Ａ、２０Ｂが前記散水栓ボックス３の内壁に係止して、この内壁をその付勢力により外方へ押圧することとなるので、水栓柱５は前記散水栓ボックス３に各ロック片１６Ｅ、１６Ｆを介して固定（押圧保持）されることとなる。
【００２０】
次に、図９に基づき、固定部材６の第４の実施形態について説明するが、第１の実施と同じ図番については同一又は同等の機能を有するものであるから、説明は省略する。一方のロック片は第２の実施形態のステンレス製のロック片１６Ｄと同一であり、下面にナット１７Ｄが熔接固定された水平片を外方に下斜め方向に折り曲げて形成するものである。そして、前記蓋体部７の丸孔１３周囲裏面には長い円筒状のナット１７Ｇを熔接固定し、このナット１７Ｇに螺合したボルト１５Ａの下端部にはロック片１６Ｇを熔接固定する。この場合、ロック片１６Ｇは円板状を呈しているが、偏心した位置において前記ボルト１５Ａが固定されている。
【００２１】
従って、ボルト１５Ａ、１５Ｂを締めると、前述の如くロック片１６Ｄの下端部が前記散水栓ボックス３の内壁と接触していない状態からこの内壁に係止してこの内壁を外方へ押圧すると共に偏心しているロック片１６Ｇも回転して前記散水栓ボックス３の内壁に係止してこの内壁を外方へ押圧することとなる。従って、水栓柱５は前記散水栓ボックス３に各ロック片１６Ｄ、１６Ｇを介して固定（押圧保持）されることとなる。
【００２２】
尚、前述したロック片１６Ｃ、１６Ｄを、板バネで構成することにより、外方への付勢力を発揮させるような構成にしてもよい。また、第２乃至第４の実施形態では、蓋体部７に長孔１４を開設したが、丸孔を開設してもよい。
【００２３】
更には、水栓スタンド８への蛇口１１の取付け位置は、以上の実施形態に限らず、この実施形態とは反対側の位置に取付けてもよく、また９０度ずれた位置に取り付けても良い。
【００２４】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【００２５】
【発明の効果】
以上説明したように本発明は、簡単な構造で安定して設置できる水栓を提供することができる。
【図面の簡単な説明】
【図１】蓋体を外した状態の散水栓ボックスの断面図である。
【図２】蛇口の放水口にフレキブル管の一端側を接続した状態の散水栓ボックスの断面図である。
【図３】水栓柱の断面図である。
【図４】散水栓ボックスに水栓柱を載置した状態の断面図である。
【図５】散水栓ボックスに水栓柱を固定した状態の短手方向の局部断面図である。
【図６】散水栓ボックスに水栓柱を固定した状態の長手方向の断面図である。
【図７】第２の実施形態を示す散水栓ボックスに水栓柱を固定した状態の短手方向の局部断面図である。
【図８】第３の実施形態を示す散水栓ボックスに水栓柱を固定した状態の短手方向の局部断面図である。
【図９】第４の実施形態を示す散水栓ボックスに水栓柱を固定した状態の短手方向の局部断面図である。
【符号の説明】
２          蛇口
３          散水栓ボックス
４          フレキシブル管（連結管路体）
５          水栓柱
６          固定部材
７          蓋体部
８          水栓スタンド
１０        連結部
１１        蛇口
１２        支承片
１３        丸孔
１４        長孔
１５Ａ、Ｂ  ボルト
１６Ａ、Ｂ  ロック片
【図１】
2004169280.tif 000003
【図２】
2004169280.tif 000004
【図３】
2004169280.tif 000005
【図４】
2004169280.tif 000006
【図５】
2004169280.tif 000007
【図６】
2004169280.tif 000008
【図７】
2004169280.tif 000009
【図８】
2004169280.tif 000010
【図９】
2004169280.tif 000011